(57)【要約】  一方の地導体１と他方の地導体２とはスライド構造を有しており、他方の地導体２には放射素子３を備えている。これら一方の地導体１と他方の地導体２とに、引出時に電気的に接続状態となる一方の接続端子５と他方の接続端子６とをそれぞれ設ける。また、他方の接続端子６と他方の地導体２との間には負荷７を直列接続し、引出時に一方の地導体１と他方の地導体２とが負荷７を介して電気的に接続されるようにする。【特許請求の範囲】
【請求項１】
複数の地導体のうちの少なくともいずれか一つの地導体に設置された放射素子と、
前記複数の地導体のうち、スライド構造を有する一方の地導体と他方の地導体とにそれぞれ接続され、かつ、これら地導体の引出時に電気的に接続状態となる一方および他方の接続端子と、
前記一方の接続端子と一方の地導体との間、または他方の接続端子と他方の地導体との間に直列接続された負荷とを備えたスライド式携帯無線機。
【請求項２】
負荷のインピーダンスが切り換え可能に構成されたことを特徴とする請求項１記載のスライド式携帯無線機。
【請求項３】
負荷が接続されていない接続端子が取り付けられている地導体側に接続され、一方および他方の地導体の収納時に、負荷が接続された接続端子と電気的に接続状態となるよう配設された収納時接続端子を備えたことを特徴とする請求項１記載のスライド式携帯無線機。
【請求項４】
一方および他方の地導体が引出状態であるか収納状態であるかを検出する引出／収納検知器を設け、
前記引出／収納検知器による引出または収納状態によって、負荷のインピーダンスを切り換え可能にしたことを特徴とする請求項３記載のスライド式携帯無線機。
【請求項５】
一方および他方の地導体の保持状態を検知する無線機保持状態検知器を設け、
前記無線機保持状態検知器による保持状態によって、負荷のインピーダンスを切り換え可能にしたことを特徴とする請求項１記載のスライド式携帯無線機。
【請求項６】
周波数に応じてリアクタンスが変化する回路を負荷として用いることを特徴とする請求項１記載のスライド式携帯無線機。
【請求項７】
複数の地導体のうちの少なくともいずれか一つの地導体に設置された放射素子と、
前記複数の地導体のうち、スライド構造を有する一方と他方の地導体のそれぞれに、これら地導体の引出時に近接する位置に設けられ、かつ、所定の周波数の波長に対応した値の線路長を有する線状導体とを備えたスライド式携帯無線機。
【発明の詳細な説明】
【技術分野】
【０００１】
この発明は、複数の筐体をスライドさせて引出および収納状態とするスライド式携帯無線機に関するものである。
【背景技術】
【０００２】
一般に、携帯無線機は、二つ以上の地導体間の電気信号をやり取りするため、フレキシブルケーブルを用いて地導体を相互に接続している。このとき、地導体に誘起される電流は主に携帯無線機のデザインにより決定される地導体の大きさやフレキシブルケーブルの長さ・幅や接続位置によりほぼ決定してしまう。このため、放射素子の電気長や素子の這わせ方を変更しても、放射パターンを大幅に変化させる手段がなく、複数の周波数帯や種々の携帯無線機の保持状態に最適となるような高利得のアンテナを実現することは困難であった。【０００３】
以上のような問題を解決するため、折り畳み型の携帯無線機において、複数の地導体のうちいずれかの地導体に放射素子を設置し、フレキシブルケーブル以外に地導体を相互に接続する線状導体とこの線状導体に直列に接続された負荷とを備え、負荷のインピーダンスを変更することにより放射パターンを変化させる構成があった（例えば、特許文献１参照）。【０００４】
【特許文献１】特開２００３−３３２９３１号公報
【０００５】
しかしながら、上記従来の携帯無線機は、折り畳み式の携帯無線機に関するものであり、このような構成をスライド構造の携帯無線機に適用しようと考えた場合、筐体を引き出したり収納したりするスライド量にもよるが、地導体を相互に接続する線状導体が切れないようにするためには、非常に長い線状導体が必要となってしまうという問題があった。【０００６】
この発明は上記のような課題を解決するためになされたもので、スライド構造の携帯無線機において、複数の周波数帯や種々の携帯無線機の保持状態に最適となるような高利得のアンテナを実現することのできる携帯無線機を得ることを目的とする。
【発明の開示】
【０００７】
この発明に係るスライド式携帯無線機は、複数の地導体のうちのいずれかに放射素子を設けると共に、スライド構造を有する一方の地導体と他方の地導体のそれぞれに、これら地導体の引出時に電気的に接続状態となる一方および他方の接続端子を設ける。そして、一方の接続端子と一方の地導体との間、または他方の接続端子と他方の地導体との間に負荷を直列接続したものである。
【０００８】
このことによって、複数の周波数帯や種々の携帯無線機の保持状態に最適となるような高利得のアンテナを有するスライド式携帯無線機を得ることができる。
【図面の簡単な説明】
【０００９】
【図１】この発明の実施の形態１によるスライド式携帯無線機の引出状態を示す構成図である。
【図２】この発明の実施の形態１によるスライド式携帯無線機の収納状態を示す構成図である。
【図３】この発明の実施の形態１によるスライド式携帯無線機のそれぞれの地導体を示す構成図である。
【図４】この発明の実施の形態１によるスライド式携帯無線機の制御信号と周波数との関係を示す説明図である。
【図５】この発明の実施の形態１によるスライド式携帯無線機における傾斜状態の説明図である。
【図６】この発明の実施の形態１によるスライド式携帯無線機の傾斜状態における空間放射パターンの説明図である。
【図７】この発明の実施の形態２によるスライド式携帯無線機の収納状態を示す構成図である。
【図８】この発明の実施の形態２によるスライド式携帯無線機のそれぞれの地導体を示す構成図である。
【図９】この発明の実施の形態３によるスライド式携帯無線機のそれぞれの地導体を示す構成図である。
【図１０】この発明の実施の形態３によるスライド式携帯無線機の制御信号と周波数との関係を示す説明図である。
【図１１】この発明の実施の形態４によるスライド式携帯無線機のそれぞれの地導体を示す構成図である。
【図１２】この発明の実施の形態５によるスライド式携帯無線機の引出状態を示す構成図である。
【図１３】この発明の実施の形態５によるスライド式携帯無線機の収納状態を示す構成図である。
【図１４】この発明の実施の形態５によるスライド式携帯無線機の線状導体の説明図である。
【発明を実施するための最良の形態】
【００１０】
以下、この発明をより詳細に説明するために、この発明を実施するための最良の形態について、添付の図面に従って説明する。
実施の形態１．
図１および図２は、この発明の実施の形態１による携帯無線機を示す構成図であり、図１は筐体引出状態、図２は筐体収納状態を示している。
また、図３は、この発明の実施の形態１による携帯無線機のそれぞれの地導体を示す構成図である。【００１１】
本実施の形態のスライド式携帯無線機は、一方の地導体１、他方の地導体２、放射素子３、線状導体４、一方の接続端子５、他方の接続端子６、負荷７、高周波スイッチ８、制御部９を備えている。一方の地導体１は、例えば、スピーカ、ディスプレイ、カメラ等が配置される地導体（筐体）であり、他方の地導体２は、例えばＲＦ回路、電池、マイク、ダイヤルキー、カメラ等が配置される地導体（筐体）である。これら一方の地導体１および他方の地導体２はスライド構造となっており、スライドして引き出したり収納したりするための機構を有し、不使用時には収納状態とされるよう構成されている。【００１２】
放射素子３は、他方の地導体２上に設置されているＲＦ回路から給電線路（これらＲＦ回路および給電線路については図示省略する）を介して給電されるアンテナである。線状導体４は、一方の地導体１と他方の地導体２との電気信号を相互に接続する線状導体であり、この線状導体４を用いてスピーカやディスプレイ、カメラを動作させている。この線状導体４としては、通常、４０本から９０本程度の線状導体が配線されており、これらを束にしたものを線状導体（フレキシブルケーブル）としている。【００１３】
一方の接続端子５および他方の接続端子６は、一方の地導体１と他方の地導体２とを電気的に接続するために設けられた接続用コネクタであり、一方の接続端子５は一方の地導体１に、また、他方の接続端子６は他方の地導体２にそれぞれ接続されている。また、これら一方の接続端子５および他方の接続端子６は、スライド方向に対して両側（２箇所）に設けられている。そして、これら一方の接続端子５および他方の接続端子６は、図１および図２に示すように、引出時には電気的に接続され、収納時には電気的に切り離される位置に配設されている。【００１４】
負荷７は、他方の接続端子６と直列に接続され、インピーダンスの変更が可能な負荷である。即ち、負荷７は、例えば、複数のインダクタンスやコンデンサから構成され、図３に示すように、制御部９からの制御信号によって選択動作する高周波スイッチ８により、実際に使用するインダクタンスやコンデンサを選択できるよう構成されている。高周波スイッチ８は、制御部９からの制御信号（ｃｔｌ−ａ，ｃｔｌ−ｂ）に基づいて、二つの他方の接続端子６のそれぞれと、負荷７（Ｚ１，Ｚ２）または負荷７（Ｚ３，Ｚ４）を切り換えるための例えばＳＰＤＴスイッチである。また、この高周波スイッチ８として、ＭＥＭＳスイッチなどの機械スイッチ、あるいはＰＩＮダイオード、バリキャップダイオード等であってもよい。
制御部９は、負荷７（Ｚ１，Ｚ２，Ｚ３，Ｚ４）の切り換え制御を行うための機能部であり、使用する周波数帯や保持状態に応じて、負荷切り換えのための制御信号ｃｔｌ−ａ，ｃｔｌ−ｂを出力するよう構成されている。【００１５】
次に、実施の形態１の動作について説明する。
一例として、本実施の形態のスライド式携帯無線機が、二つの周波数ｆ１，ｆ２で使用されるものとし、これら周波数はｆ１＝２．０ＧＨｚ、ｆ２＝８００ＭＨｚであるとする。そして、今、制御部９からの制御により周波数ｆ１を使用する制御信号のやり取りが行われているとする。
図４は、制御信号ｃｔｌ−ａ，ｃｔｌ−ｂと周波数ｆ１，ｆ２との関係を示す説明図である。
周波数ｆ１で使用する場合、制御信号は、ｃｔｌ−ａが「Ｈ」、ｃｔｌ−ｂが「Ｌ」であり、このとき、それぞれの高周波スイッチ８は、負荷７（Ｚ１）と負荷７（Ｚ３）を選択する。【００１６】
また、本実施の形態のスライド式携帯無線機では、制御部９に、現在使用している周波数帯や携帯無線機の保持状態、音声やデータの情報が読み込まれる。このとき、保持状態を感知できるようなセンサがない場合には、周波数帯の情報のみ読み込まれるものとする。
このような情報に基づいて、制御部９は、高周波スイッチ８に信号を送り、この信号を高周波スイッチ８で検知して、それぞれの高周波スイッチ８に繋がっている負荷７のインピーダンスを選択する。これにより、一方の地導体１と他方の地導体２とに誘起される電流分布を変化させて、使用状態に最適となるような放射パターンが選択可能となる。【００１７】
このとき最適な放射パターンを得るためには、予め使用形態（使用周波数帯、無線機の保持状態）を考慮して、それぞれの使用形態に最適な放射パターンとなるような負荷７を実験やシミュレーションを用いて決定しておく必要がある。
ここで、放射パターンを変化させるとどのような効果が得られるかを更に説明する。【００１８】
現在の携帯無線機では通話以外にもブラウジングやメールなど多様な機能があげられる。メールやブラウジングの使用時には携帯無線機は傾けて保持されており、偏波損や人体の影響による人体損でアンテナ利得が低下してしまう。
図５は、このような傾斜状態のスライド式携帯無線機の説明図である。
本実施の形態では、自由空間において携帯無線機を傾けた場合に、人体と反対側のアンテナの主偏波の指向性を高めることで、人体によるアンテナ劣化を軽減した高利得なアンテナ性能を得ることができる。尚、図５中、０゜方向が人体と反対側を示している。【００１９】
図６は、この状態を示す空間放射パターンの説明図である。
図６中、パターン１０１は、一方の接続端子５と他方の接続端子６とがなく、線状導体４のみで一方の地導体１と他方の地導体２とが接続されている場合の空間放射パターンであり、パターン１０２は、人体と反対側のアンテナの主偏波の指向性を高めた場合の空間放射パターンである。また、図６において、１０３は主偏波、１０４は垂直偏波を示している。ここで、０゜方向の主偏波１０３のレベルを見ると、パターン１０１に比べてパターン１０２の方が強くなっているのが分かる。即ち、０゜方向の指向性が強くなっているのが分かる。【００２０】
尚、使用周波数が増加したり、携帯無線機の保持状態が複雑になるにつれて、選択すべき状態が増加していくが、小型化が進んでいる現代の携帯無線機において使用周波数や携帯無線機の保持状態に応じて放射素子（アンテナ）を増加させていくことは、外形寸法の大型化を招き、かつ、アンテナを複数設けた場合にはアンテナ間の結合を考慮しなければならないという問題も発生する。従って、アンテナの数を増加させずに空間放射パターンを最適化する今回の構成はこのような面からも有効である。【００２１】
以上のように、実施の形態１のスライド式携帯無線機によれば、複数の地導体のうちの少なくともいずれか一つの地導体に設置された放射素子と、複数の地導体のうち、スライド構造を有する一方の地導体と他方の地導体とにそれぞれ接続され、かつ、これら地導体の引出時に電気的に接続状態となる一方および他方の接続端子と、一方の接続端子と一方の地導体との間、または他方の接続端子と他方の地導体との間に直列接続された負荷とを備えたので、複数の周波数帯や種々の携帯無線機の保持状態に最適となるような高利得のアンテナを有するスライド式携帯無線機を得ることができる効果がある。【００２２】
また、実施の形態１のスライド式携帯無線機によれば、負荷のインピーダンスを切り換え可能に構成したので、多くの周波数帯への対応や携帯無線機の保持状態が複雑化した場合でも、それぞれの場合に最適となるような高利得のアンテナを有するスライド式携帯無線機を得ることができる効果がある。【００２３】
実施の形態２．
上記実施の形態１では、筐体をスライドして引き出す場合には、一方の接続端子５と他方の接続端子６とが電気的に接続され、筐体を収納した場合には切り離される構成であったが、収納時において負荷と接続されるための収納時接続端子を設けることも可能であり、これを実施の形態２として次に示す。【００２４】
図７は、この発明の実施の形態２による携帯無線機を示す構成図であり、筐体収納時の状態を示している。
図８は、この発明の実施の形態２による携帯無線機のそれぞれの地導体を示す構成図である。
本実施の形態では、一方の地導体１に一方の接続端子５が接続されていると共に、収納時接続端子１０が取り付けられている。この収納時接続端子１０は、図７に示すように収納時に他方の地導体２側の他方の接続端子６と電気的に接続される位置に設けられた収納時接続用コネクタである。また、本実施の形態では、筐体の引出／収納を検知するための引出／収納検知器１１を備えている。この引出／収納検知器１１は、筐体の引出状態か収納状態かを検知し、この検知信号を制御部９ａに送出する機能部である。また、制御部９ａは、引出／収納検知器１１からの引出／収納検知信号や使用周波数帯の情報に基づいて、負荷を選択するための制御信号（ｃｔｌ−ａ，ｃｔｌ−ｂ）を出力するよう構成されている。他の各構成は、実施の形態１と同様であるため、対応する部分に同一符号を付してその説明を省略する。【００２５】
実施の形態２では、引出状態において、一方の接続端子５と他方の接続端子６とが接続され、また、引出／収納検知器１１によって、引出状態であることが検知される。これにより、制御部９ａは、実施の形態１と同様の制御を行う。例えば、周波数ｆ１，ｆ２による負荷選択を行う場合、制御部９ａは制御信号（ｃｔｌ−ａ，ｃｔｌ−ｂ）を実施の形態１の図４で示したような値とする。
一方、筐体の収納状態では、他方の接続端子６は収納時接続端子１０と接続される。また、このとき、引出／収納検知器１１により、筐体の収納状態が検知され、これを示す検知信号が制御部９ａに出力される。これにより、収納時であっても高周波スイッチ８の制御が可能であり、従って、収納時も負荷７の選択を行うことができる。【００２６】
以上のように、実施の形態２のスライド式携帯無線機によれば、負荷が接続されていない接続端子が取り付けられている地導体側に接続され、一方および他方の地導体の収納時に、負荷が接続された接続端子と電気的に接続状態となるよう配設された収納時接続端子を備えたので、収納時であっても空間放射パターンを変更することができ、従って、引出時や収納時それぞれに適した空間放射パターンが得られ、どのような状態であっても最適となるような高利得のアンテナを有するスライド式携帯無線機を得ることができる。【００２７】
また、実施の形態２のスライド式携帯無線機によれば、一方および他方の地導体が引出状態であるか収納状態であるかを検出する引出／収納検知器を設け、引出／収納検知器による引出または収納状態によって、負荷のインピーダンスを切り換え可能にしたので、多くの周波数帯への対応や携帯無線機の保持状態が複雑化した場合でも、引出時や収納時それぞれに適した空間放射パターンに切り換えることが可能であり、種々の条件下で最適となるような高利得のアンテナを有するスライド式携帯無線機を得ることができる効果がある。【００２８】
実施の形態３．
図９は、実施の形態３のスライド式携帯無線機の一方の地導体１と他方の地導体２とを別々にして示す構成図である。
実施の形態３では、負荷７をそれぞれ三つ以上、異なるインピーダンスを有するものとし（Ｚ１，Ｚ２，Ｚ３，…）（Ｚ４，Ｚ５，Ｚ６，…）、かつ、高周波スイッチ８ａをこれら負荷７を選択可能な構成としたものである。また、無線機保持状態検知器１２を備えている。【００２９】
無線機保持状態検知器１２は、例えば、加速度センサ等を用いて実現され、例えば、縦位置で保持されているか、横位置で保持されているかといったように、スライド式携帯無線機がどのような保持状態にあるかを検知し、この検知信号を制御部９ｂに出力するものである。制御部９ｂは、例えば、使用する周波数帯の情報や無線機保持状態検知器１２の検知信号に基づいて、高周波スイッチ８ａに制御信号を送出する機能を有している。
図１０は、制御信号と周波数との関係を示す説明図である。
図示のように、制御信号は、ｃｔｌ−ａ，ｃｔｌ−ｂ，ｃｔｌ−ｃ，…によって、使用する周波数が選択されるようになっている。【００３０】
このように構成されたスライド式携帯無線機では、使用する周波数に対応した放射パターンを制御する場合、制御部９ｂは、その周波数に対応した制御信号を高周波スイッチ８ａに出力する。例えば、周波数がｆ１であった場合、制御信号はｃｔｌ−ａが「Ｈ」、ｃｔｌ−ｂが「Ｈ」、ｃｔｌ−ｃが「Ｈ」となる。
また、無線機保持状態検知器１２から検知信号に基づいて放射パターンを制御する場合は、保持状態に対応した負荷７が選択されるよう、制御部９ｂは高周波スイッチ８ａに対して制御信号ｃｔｌ−ａ，ｃｔｌ−ｂ，ｃｔｌ−ｃ，…を出力する。【００３１】
以上のように、実施の形態３のスライド式携帯無線機によれば、負荷のインピーダンスを三つ以上選択可能としたので、更に多くの周波数帯への対応や携帯無線機の保持状態が複雑化した場合でも、それぞれの場合に最適となるような高利得のアンテナを有するスライド式携帯無線機を得ることができる効果がある。【００３２】
実施の形態４．
図１１は、実施の形態４のスライド式携帯無線機におけるそれぞれの地導体を示す構成図である。
本実施の形態では、負荷７と高周波スイッチ８の代わりに、周波数に応じてリアクタンスが変化する回路としてＬＣ直列共振回路１３を備えている。即ち、上記実施の形態１では、ｆ１とｆ２の二つの周波数に対応し、高周波スイッチ８を用いて負荷７を変更することでそれぞれｆ１とｆ２の周波数帯域で放射パターンを変更させることが可能な構成とした。これに対し、実施の形態４では、上記実施の形態１における高周波スイッチ８を使用しない構成である。【００３３】
例えば、ｆ１＝２．０ＧＨｚ、ｆ２＝８００ＭＨｚで、ｆ１時にはｚ１が、ｆ２時にはｚ２の負荷が選択されるものとし、実施の形態１でこの時に選択される負荷がＺ１→ショート、Ｚ２→１．５ｐＦの場合、リアクタンスが２．０ＧＨｚ帯でショートに、８００ＭＨｚ帯で１．５ｐＦ相当を得ることが可能なＬＣ直列共振回路１３を使用することで、上記実施の形態１と同様の効果を奏することができる。また、図示例では、もう一方の負荷７（Ｚ３，Ｚ４）は、実施の形態１と同様の構成としているが、これについても、上記と同等にＬＣ直列共振回路１３に置き換えることで高周波スイッチ８を不要とすることができる。また、ＬＣ直列共振回路１３の他にも、所望のリアクタンスを得るため、直列のコンデンサ、インダクタンス、０Ω（ショート）やＬＣ並列共振回路を用いても実施の形態４と同等な効果を得ることができる。【００３４】
以上のように、実施の形態４のスライド式携帯無線機によれば、周波数に応じてリアクタンスが変化する回路を負荷として用いるようにしたので、負荷を切り換えるためのスイッチやスイッチ周辺の制御回路を不要とすることができるため、コストの低減化を図ることができ、またスイッチ等の部品実装エリアの削除によりスライド式携帯無線機としての小型化に寄与することができる。【００３５】
実施の形態５．
図１２および図１３は、実施の形態５のスライド式携帯無線機の構成図であり、図１２は筐体引出時、図１３は、筐体収納時を示している。
実施の形態５では、実施の形態１における一方の接続端子５〜高周波スイッチ８に代えて、一方の地導体１および他方の地導体２からそれぞれ、長さが特定の周波数のλ／４となる線状導体１４を設けている。この線状導体１４は、筐体引出時に近接し、筐体収納時に離隔する位置に配設されている。【００３６】
図１４は、線状導体１４の説明図である。
図中のＡ側からＢ側を見込むインピーダンスＺａは、先端オープンの伝送線路のインピーダンスとなる。即ち、伝送線路の特性抵抗をＲ０とした場合、インピーダンスＺａは、Ｚａ＝Ｉ＊Ｒ０＊ｃｏｔ（ＫＬ）となる。ここで、Ｋは波数（＝２π／λ）、Ｌは線路長であり、線路長Ｌがλ／４の場合に、インピーダンスＺａ＝０Ω（ショート）となる。例えば、線路長Ｌを２．０ＧＨｚ帯のλ／４となるよう選定することで、２．０ＧＨｚ帯でＺａ＝０Ωを実現することができる。この時、例えば８００ＭＨｚ帯では、Ｒ０を所定の値とすることで、そのインピーダンスを実施の形態１における負荷７（Ｚ２，Ｚ４）と同等の値とすることができる。【００３７】
このような構成により、線状導体１４の長さを所定の周波数として、例えば、２．０ＧＨｚ帯のλ／４とすることで、筐体の引出時に、２．０ＧＨｚ帯では０Ωと見なすことができ、かつ、８００ＭＨｚでは所定のインピーダンスを持つような構成を実現することができる。また、筐体の収納時では、図１３に示すように、それぞれの地導体に配置された線状導体１４は互いに離隔するため、一方の地導体１と他方の地導体２との間はオープン状態となる。【００３８】
また、図示例では、一方の地導体１と他方の地導体２とのスライド方向の一方側に線状導体１４を設け、他方側に一方の接続端子５〜高周波スイッチ８（これについては図示省略している）を設けたが、両側に線状導体１４を設けるようにしてもよい。【００３９】
以上のように、実施の形態５のスライド式携帯無線機によれば、複数の地導体のうちの少なくともいずれか一つの地導体に設置された放射素子と、複数の地導体のうち、スライド構造を有する一方と他方の地導体のそれぞれに、これら地導体の引出時に近接する位置に設けられ、かつ、所定の周波数の波長に対応した値の線路長を有する線状導体とを備えたので、高価な表面処理等が必要なく、安価でありながら、上記実施の形態１と同等の効果を得ることができる。【００４０】
即ち、一方の接続端子５および他方の接続端子６は、可動式の接点であるため、頻繁に筐体を引出・収納しても接続信頼性を維持する必要がある。その結果、一方の接続端子５および他方の接続端子６の表面処理は通常のコネクタよりも高価なメッキ等を行う必要があるが、線状導体１４は、筐体の引出・収納動作を行っても、接触する部分がないため、このような表面処理を必要としないからである。【００４１】
尚、上記各実施の形態では、スライド式携帯無線機として、二つの地導体（一方の地導体１と他方の地導体２）を有するものを説明したが、例えば３層構造でかつそれぞれの地導体がスライドするといった、三つ以上の地導体を有するスライド式携帯無線機であっても同様に適用することができる。また、この場合は、複数のスライド部分の全てに上記各実施の形態の構成を適用しても良いし、一つのスライド部分のみであってもよい。
【産業上の利用可能性】
【００４２】
以上のように、この発明に係るスライド式携帯無線機は、スライド構造の地導体を有する携帯無線機において、その使用状態や使用周波数帯に合わせて空間放射パターンを改善するものであり、携帯電話などに用いるのに適している。
【図１】
2006043326.tif 000002
【図２】
2006043326.tif 000003
【図３】
2006043326.tif 000004
【図４】
2006043326.tif 000005
【図５】
2006043326.tif 000006
【図６】
2006043326.tif 000007
【図７】
2006043326.tif 000008
【図８】
2006043326.tif 000009
【図９】
2006043326.tif 000010
【図１０】
2006043326.tif 000011
【図１１】
2006043326.tif 000012
【図１２】
2006043326.tif 000013
【図１３】
2006043326.tif 000014
【図１４】
2006043326.tif 000015
【国際調査報告】
2006043326.tif 000016
2006043326.tif 000017
2006043326.tif 000018
2006043326.tif 000019